(57)【要約】【課題】現在、エアコン、テレビ（ＴＶ）、ビデオ再生装置（ＶＴＲ）などの家庭電化製品やＡＶ機器などでは、赤外線（ＩＲ）通信方式によるリモートコントロール制御が行われことが多い。しかし、赤外線（ＩＲ）通信方式では、赤外線を送信する装置と電化製品などの間に遮蔽物があるとうまく制御できない。また、赤外線による通信では、送信可能な角度の範囲が狭く、リモートコントロール装置と電化製品とが正確に向き合わないとうまく制御できない。【解決手段】無線（ＲＦ）通信方式のデータを赤外線（ＩＲ）通信方式のデータに変換して転送する無線／赤外線変換アダプタ１０を使用し、無線（ＲＦ）通信方式のリモートコントロール装置１で赤外線通信機能を有する電化製品２を制御する。【選択図】　図１
2004031999.tif 000002
【特許請求の範囲】
【請求項１】
無線通信方式により受信したデータを赤外線通信方式のデータに変換して転送するための無線／赤外線変換アダプタであって、
無線電波による送信データを受信し、復調してデータを抽出するための無線データ受信手段と、
前記無線データ受信手段により抽出したデータを、赤外線通信方式のデータ形式に変換するためのデータ変換手段と、
前記赤外線通信方式のデータを、赤外線を変調して送信するための赤外線データ送信手段と
を具備することを特徴とする無線／赤外線変換アダプタ。
【請求項２】
無線通信方式により受信したデータを赤外線通信方式のデータに変換して転送すると共に、赤外線通信方式により受信したデータを無線通信方式のデータに変換して転送するための無線／赤外線変換アダプタであって、
無線電波による送信データを受信し、復調してデータを抽出するための無線データ受信手段と、
前記無線データ受信手段により抽出したデータを、赤外線通信方式のデータ形式に変換するためのデータ変換手段と、
前記赤外線通信方式のデータを、赤外線を変調して送信するための赤外線データ送信手段と、
赤外線による送信データを受信し、復調してデータを抽出するための赤外線データ受信手段と、
前記赤外線データ受信手段により抽出したデータを、無線通信方式のデータ形式に変換するためのデータ変換手段と、
前記無線通信方式のデータを、無線電波を変調して送信するための無線電波送信手段と
を具備することを特徴とする無線／赤外線変換アダプタ。
【請求項３】
無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーションシステムであって、
前記リモートコントロール装置には、
前記電化製品を制御する制御用リモートコントロールデータと、該制御用リモートコントロールデータにより制御される電化製品との関連付け情報を入力するための電化製品関連付け手段と、
前記制御用リモートコントロールデータと該制御用リモートコントロールデータにより制御される電化製品との関連付け情報を、登録するための制御用リモートコントロールデータ登録手段と、
前記制御用リモートコントロールデータを送信する際に、送信される制御用リモートコントロールデータに応じて、該制御用リモートコントロールデータに関連付けされた電化製品に対する制御信号を生成して送信するための制御用リモートコントロールデータ送信手段と
を具備することを特徴とする無線／赤外線変換アダプタを使用したアプリケーションシステム。
【請求項４】
無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーションシステムであって、
前記リモートコントロール装置には、
前記電化製品を制御する操作手順を登録させるためのマクロ登録手段と、
前記マクロに関連付けて、制御する電化製品の種別、制御する機能の内容、制御用リモートコントロールデータの送信間隔を調整する待ち時間の関連付け情報を入力するための電化製品関連付け手段と、
前記マクロを実行する際に、実行されるマクロに応じて、該マクロに関連付けされた電化製品に対する制御信号を生成して送信するためのマクロ実行手段と
を具備することを特徴とする無線／赤外線変換アダプタを使用したアプリケーションシステム。
【請求項５】
無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーションシステムであって、
前記リモートコントロール装置には、
前記電化製品を制御する操作手順を登録させるためのマクロ登録手段と、
前記マクロの実行開始日時と実行終了日時を登録するためのマクロ実行日時登録手段と、
前記マクロの実行開始日時と実行終了日時をリモートコントロール装置内の計時タイマーにより監視するためのマクロ実行日時監視手段と、
前記マクロ実行日時監視手段により、前記マクロの実行開始日時の到来が確認された場合には該マクロの実行を開始し、前記マクロの実行終了日時の到来が確認された場合には該マクロの実行を終了するためのマクロ実行手段と
を具備することを特徴とする無線／赤外線変換アダプタを使用したアプリケーションシステム。
【請求項６】
無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーション方法であって、
前記リモートコントロール装置により、
前記電化製品を制御する制御用リモートコントロールデータと、該制御用リモートコントロールデータにより制御される電化製品との関連付け情報を入力するための電化製品関連付け手順と、
前記制御用リモートコントロールデータと該制御用リモートコントロールデータにより制御される電化製品との関連付け情報を登録するための制御用リモートコントロールデータ登録手順と、
前記制御用リモートコントロールデータを送信する際に、送信される制御用リモートコントロールデータに応じて、該制御用リモートコントロールデータに関連付けされた電化製品に対する制御信号を生成して送信するための制御用リモートコントロールデータ送信手順と
が行われることを特徴とする無線／赤外線変換アダプタを使用したアプリケーション方法。
【請求項７】
無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーション方法であって、
前記リモートコントロール装置により、
前記電化製品を制御する操作手順を登録させるためのマクロ登録手順と、
前記マクロに関連付けて、制御する電化製品の種別、制御する機能の内容、制御用リモートコントロールデータの送信間隔を調整する待ち時間の関連付け情報を入力するための電化製品関連付け手順と、
前記マクロを実行する際に、実行されるマクロに応じて、該マクロに関連付けされた電化製品に対する制御信号を生成して送信するためのマクロ実行手順と
が行われることを特徴とする無線／赤外線変換アダプタを使用したアプリケーション方法。
【請求項８】
無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーション方法であって、
前記リモートコントロール装置により、
前記電化製品を制御する操作手順を登録させるためのマクロ登録手順と、
前記マクロの実行開始日時と実行終了日時を登録するためのマクロ実行日時登録手順と、
前記マクロの実行開始日時と実行終了日時をリモートコントロール装置内の計時タイマーにより監視するためのマクロ実行日時監視手順と、
前記マクロ実行日時監視手順により、前記マクロの実行開始日時の到来が確認された場合には該マクロの実行を開始し、前記マクロの実行終了日時の到来が確認された場合には該マクロの実行を終了するためのマクロ実行手順と
が行われることを特徴とする無線／赤外線変換アダプタを使用したアプリケーション方法。
【請求項９】
無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーションシステムにおける
前記リモートコントロール装置内の情報処理端末装置に、
前記電化製品を制御する制御用リモートコントロールデータと、該制御用リモートコントロールデータにより制御される電化製品との関連付け情報を入力するための電化製品関連付け手順と、
前記制御用リモートコントロールデータと該制御用リモートコントロールデータにより制御される電化製品との関連付け情報を、登録するための制御用リモートコントロールデータ登録手順と、
前記制御用リモートコントロールデータを送信する際に、送信される制御用リモートコントロールデータに応じて、該制御用リモートコントロールデータに関連付けされた電化製品に対する制御信号を生成して送信するための制御用リモートコントロールデータ送信手順と
を実行させるためのプログラムを記録した情報処理端末装置読み取り可能な記録媒体。
【請求項１０】
無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーションシステムにおける
前記リモートコントロール装置内の情報処理端末装置に、
前記電化製品を制御する操作手順を登録させるためのマクロ登録手順と、
前記マクロに関連付けて、制御する電化製品の種別、制御する機能の内容、制御用リモートコントロールデータの送信間隔を調整する待ち時間の関連付け情報を入力するための電化製品関連付け手順と、
前記マクロを実行する際に、実行されるマクロに応じて、該マクロに関連付けされた電化製品に対する制御信号を生成して送信するためのマクロ実行手順と
を実行させるためのプログラムを記録した情報処理端末装置読み取り可能な記録媒体。
【請求項１１】
無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーションシステムにおける
前記リモートコントロール装置内の情報処理端末装置に、
前記電化製品を制御する操作手順を登録させるためのマクロ登録手順と、
前記マクロの実行開始日時と実行終了日時を登録するためのマクロ実行日時登録手順と、
前記マクロの実行開始日時と実行終了日時をリモートコントロール装置内の計時タイマーにより監視するためのマクロ実行日時監視手順と、
前記マクロ実行日時監視手順により、前記マクロの実行開始日時の到来が確認された場合には該マクロの実行を開始し、前記マクロの実行終了日時の到来が確認された場合には該マクロの実行を終了するためのマクロ実行手順と
を実行させるためのプログラムを記録した情報処理端末装置読み取り可能な記録媒体。
【発明の詳細な説明】
【０００１】
【発明の属する技術分野】
本発明は、無線通信方式のデータを赤外線通信方式のデータに変換して転送するか、または無線通信方式のデータと赤外線通信方式のデータを双方向に変換して転送する、無線／赤外線変換アダプタ、無線／赤外線変換アダプタを使用したアプリケーションシステム、及びアプリケーション方法に関する。
【０００２】
【従来の技術】
現在、エアコン、テレビ（ＴＶ）、ＤＶＤ再生装置、ビデオ再生装置（ＶＴＲ）などの電化製品（家庭電化製品や映像（ＡＶ）機器等）などでは、赤外線（ＩＲ）通信方式によるリモートコントロール制御が行われることが多い。
【０００３】
一方、ＩｒＤＡ（Ｉｎｆｒａｒｅｄ　Ｄａｔａ　Ａｓｓｏｃｉａｔｉｏｎ　）により赤外線を使ってデータを送受信するための規格が作成され、この規格を用いた赤外線通信機能が装備されたＰＣ（Ｐｅｒｓｏｎａｌ　Ｃｏｍｐｕｔｅｒ）や、ＰＤＡ（Ｐｅｒｓｏｎａｌ　Ｄｉｇｉｔａｌ　Ａｓｓｉｓｔａｎｃｅ）なども出現している。そして、これらのＰＣ（Ｐｅｒｓｏｎａｌ　Ｃｏｍｐｕｔｅｒ）やＰＤＡにより、赤外線通信機能が装備された電化製品などを制御するシステムの普及が期待されていた。しかし、結果は期待された程には普及していない。
【０００４】
これには、以下の原因があると思われる。
・赤外線（ＩＲ）による通信方式では、赤外線を送信する装置と電化製品などの間に遮蔽物があるとうまく制御できない。
・赤外線（ＩＲ）による通信方式では、送信可能な角度の範囲が狭く、送信装置と電化製品が正確に向き合わないとうまく制御できない。
・ＰＣ（Ｐｅｒｓｏｎａｌ　Ｃｏｍｐｕｔｅｒ）やＰＤＡ（Ｐｅｒｓｏｎａｌ　Ｄｉｇｉｔａｌ　Ａｓｓｉｓｔａｎｃｅ）などの情報処理端末装置の赤外線通信機能は、赤外線の到達距離が短いため、送信装置と電化製品を近づけないとうまく制御できない。
以上のような問題点があり、赤外線（ＩＲ）通信方式には使いづらい面があった。
【０００５】
【発明が解決しようとする課題】
本発明は上記問題点に鑑みなされたものであり、本発明は、電化製品（家庭電化製品やＡＶ機器など）やその他の赤外線通信機能を有する機器を効果的に制御することができ、または赤外線通信機能を有する機器と効果的にデータ通信を行うことができる、無線／赤外線変換アダプタ、無線／赤外線変換アダプタを使用したアプリケーションシステム、及びアプリケーション方法を提供することを目的とする。
【０００６】
【課題を解決するための手段】
本発明は上記課題を解決するためになされたものであり、本発明の無線／赤外線変換アダプタは、無線通信方式により受信したデータを赤外線通信方式のデータに変換して転送するための無線／赤外線変換アダプタであって、無線電波による送信データを受信し、復調してデータを抽出するための無線データ受信手段と、前記無線データ受信手段により抽出したデータを、赤外線通信方式のデータ形式に変換するためのデータ変換手段と、前記赤外線通信方式のデータを、赤外線を変調して送信するための赤外線データ送信手段とを具備することを特徴とする。
これにより、　無線（ＲＦ）通信方式のリモートコントロール装置を使用することができ、リモートコントロール装置を電化製品に対向させることなく制御できる。また、リモートコントロール装置と電化製品の間に遮蔽物があっても、電化製品を制御できる。また、リモートコントロール装置と電化製品を至近距離に近づけなくても電化製品を制御できる。
【０００７】
また、本発明の無線／赤外線変換アダプタは、無線通信方式により受信したデータを赤外線通信方式のデータに変換して転送すると共に、赤外線通信方式により受信したデータを無線通信方式のデータに変換して転送するための無線／赤外線変換アダプタであって、無線電波による送信データを受信し、復調してデータを抽出するための無線データ受信手段と、前記無線データ受信手段により抽出したデータを、赤外線通信方式のデータ形式に変換するためのデータ変換手段と、前記赤外線通信方式のデータを、赤外線を変調して送信するための赤外線データ送信手段と、赤外線による送信データを受信し、復調してデータを抽出するための赤外線データ受信手段と、前記赤外線データ受信手段により抽出したデータを、無線通信方式のデータ形式に変換するためのデータ変換手段と、前記無線通信方式のデータを、無線電波を変調して送信するための無線電波送信手段とを具備することを特徴とする。
これにより、ＰＣ（Ｐｅｒｓｏｎａｌ　Ｃｏｍｐｕｔｅｒ）やＰＤＡ（Ｐｅｒｓｏｎａｌ　Ｄｉｇｉｔａｌ　Ａｓｓｉｓｔａｎｃｅ）などの無線通信機能を搭載した情報処理端末装置をリモートコントロール装置として使用し電化製品を制御する場合のみならず、ＰＣ（Ｐｅｒｓｏｎａｌ　Ｃｏｍｐｕｔｅｒ）やＰＤＡ（Ｐｅｒｓｏｎａｌ　Ｄｉｇｉｔａｌ　Ａｓｓｉｓｔａｎｃｅ）などの無線通信機能を搭載した情報処理端末装置と赤外線通信機能付きの機器との間でデータを交換する際にも、ＰＣ（Ｐｅｒｓｏｎａｌ　Ｃｏｍｐｕｔｅｒ）やＰＤＡ（Ｐｅｒｓｏｎａｌ　Ｄｉｇｉｔａｌ　Ａｓｓｉｓｔａｎｃｅ）などの無線通信機能を搭載した情報処理端末装置と赤外線通信機能付きの機器とを対向させることなくデータ交換が行える。また、ＰＣ（Ｐｅｒｓｏｎａｌ　Ｃｏｍｐｕｔｅｒ）やＰＤＡ（Ｐｅｒｓｏｎａｌ　Ｄｉｇｉｔａｌ　Ａｓｓｉｓｔａｎｃｅ）などの無線通信機能を搭載した情報処理端末装置と赤外線通信機能付きの機器との間に遮蔽物があってもデータ交換が行える。また、ＰＣ（Ｐｅｒｓｏｎａｌ　Ｃｏｍｐｕｔｅｒ）やＰＤＡ（Ｐｅｒｓｏｎａｌ　Ｄｉｇｉｔａｌ　Ａｓｓｉｓｔａｎｃｅ）などの無線通信機能を搭載した情報処理端末装置と赤外線機能付きの機器を至近距離に近づけなくてもデータ交換が行える。
【０００８】
また、本発明の無線／赤外線変換アダプタを使用したアプリケーションシステムは、無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーションシステムであって、前記リモートコントロール装置には、前記電化製品を制御する制御用リモートコントロールデータと、該制御用リモートコントロールデータにより制御される電化製品との関連付け情報を入力するための電化製品関連付け手段と、前記制御用リモートコントロールデータと該制御用リモートコントロールデータにより制御される電化製品との関連付け情報を、登録するための制御用リモートコントロールデータ登録手段と、前記制御用リモートコントロールデータを送信する際に、送信される制御用リモートコントロールデータに応じて、該制御用リモートコントロールデータに関連付けされた電化製品に対する制御信号を生成して送信するための制御用リモートコントロールデータ送信手段とを具備することを特徴とする。
これにより、無線（ＲＦ）通信方式のリモートコントロール装置を使用して、赤外線通信機能付きの電化製品の操作が容易に行える。
【０００９】
また、本発明の無線／赤外線変換アダプタを使用したアプリケーションシステムは、無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーションシステムであって、前記リモートコントロール装置には、前記電化製品を制御する操作手順を登録させるためのマクロ登録手段と、前記マクロに関連付けて、制御する電化製品の種別、制御する機能の内容、制御用リモートコントロールデータの送信間隔を調整する待ち時間の関連付け情報を入力するための電化製品関連付け手段と、前記マクロを実行する際に、実行されるマクロに応じて、該マクロに関連付けされた電化製品に対する制御信号を生成して送信するためのマクロ実行手段とを具備することを特徴とする。これにより、無線（ＲＦ）通信方式のリモートコントロール装置を使用して、赤外線通信機能付きの電化製品の操作が容易に行える。
【００１０】
また、本発明の無線／赤外線変換アダプタを使用したアプリケーションシステムは、無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーションシステムであって、前記リモートコントロール装置には、前記電化製品を制御する操作手順を登録させるためのマクロ登録手段と、前記マクロの実行開始日時と実行終了日時を登録するためのマクロ実行日時登録手段と、前記マクロの実行開始日時と実行終了日時をリモートコントロール装置内の計時タイマーにより監視するためのマクロ実行日時監視手段と、前記マクロ実行日時監視手段により、前記マクロの実行開始日時の到来が確認された場合には該マクロの実行を開始し、前記マクロの実行終了日時の到来が確認された場合には該マクロの実行を終了するためのマクロ実行手段とを具備することを特徴とする。
これにより、無線（ＲＦ）通信方式のリモートコントロール装置を使用して、電化製品のタイマー予約が容易に行えるようになる。
【００１１】
また、本発明の無線／赤外線変換アダプタを使用したアプリケーション方法は、無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーション方法であって、前記リモートコントロール装置により、前記電化製品を制御する制御用リモートコントロールデータと、該制御用リモートコントロールデータにより制御される電化製品との関連付け情報を入力するための電化製品関連付け手順と、前記制御用リモートコントロールデータと該制御用リモートコントロールデータにより制御される電化製品との関連付け情報を、登録するための制御用リモートコントロールデータ登録手順と、前記制御用リモートコントロールデータを送信する際に、送信される制御用リモートコントロールデータに応じて、該制御用リモートコントロールデータに関連付けされた電化製品に対する制御信号を生成して送信するための制御用リモートコントロールデータ送信手順とが行われることを特徴とする。
これにより、無線（ＲＦ）通信方式のリモートコントロール装置を使用して、赤外線通信機能付きの電化製品の操作が容易に行える。
【００１２】
また、本発明の無線／赤外線変換アダプタを使用したアプリケーション方法は、無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーション方法であって、前記リモートコントロール装置により、前記電化製品を制御する操作手順を登録させるためのマクロ登録手順と、前記マクロに関連付けて、制御する電化製品の種別、制御する機能の内容、制御用リモートコントロールデータの送信間隔を調整する待ち時間の関連付け情報を入力するための電化製品関連付け手順と、前記マクロを実行する際に、実行されるマクロに応じて、該マクロに関連付けされた電化製品に対する制御信号を生成して送信するためのマクロ実行手順とが行われることを特徴とする。
これにより、無線（ＲＦ）通信方式のリモートコントロール装置を使用して、赤外線通信機能付きの電化製品の操作が容易に行える。
【００１３】
また、本発明の無線／赤外線変換アダプタを使用したアプリケーション方法は、無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーション方法であって、前記リモートコントロール装置により、前記電化製品を制御する操作手順を登録させるためのマクロ登録手順と、前記マクロの実行開始日時と実行終了日時を登録するためのマクロ実行日時登録手順と、前記マクロの実行開始日時と実行終了日時をリモートコントロール装置内の計時タイマーにより監視するためのマクロ実行日時監視手順と、前記マクロ実行日時監視手順により、前記マクロの実行開始日時の到来が確認された場合には該マクロの実行を開始し、前記マクロの実行終了日時の到来が確認された場合には該マクロの実行を終了するためのマクロ実行手順とが行われることを特徴とする。
これにより、無線（ＲＦ）通信方式のリモートコントロール装置を使用して、電化製品のタイマー予約が容易に行えるようになる。
【００１４】
また、本発明の情報処理端末装置読み取り可能な記録媒体は、無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーションシステムにおける前記リモートコントロール装置内の情報処理端末装置に、前記電化製品を制御する制御用リモートコントロールデータと、該制御用リモートコントロールデータにより制御される電化製品との関連付け情報を入力するための電化製品関連付け手順と、前記制御用リモートコントロールデータと該制御用リモートコントロールデータにより制御される電化製品との関連付け情報を、登録するための制御用リモートコントロールデータ登録手順と、前記制御用リモートコントロールデータを送信する際に、送信される制御用リモートコントロールデータに応じて、該制御用リモートコントロールデータに関連付けされた電化製品に対する制御信号を生成して送信するための制御用リモートコントロールデータ送信手順とを実行させるためのプログラムを記録した情報処理端末装置読み取り可能な記録媒体である。
【００１５】
また、本発明の情報処理端末装置読み取り可能な記録媒体は、無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーションシステムにおける前記リモートコントロール装置内の情報処理端末装置に、前記電化製品を制御する操作手順を登録させるためのマクロ登録手順と、前記マクロに関連付けて、制御する電化製品の種別、制御する機能の内容、制御用リモートコントロールデータの送信間隔を調整する待ち時間の関連付け情報を入力するための電化製品関連付け手順と、前記マクロを実行する際に、実行されるマクロに応じて、該マクロに関連付けされた電化製品に対する制御信号を生成して送信するためのマクロ実行手順とを実行させるためのプログラムを記録した情報処理端末装置読み取り可能な記録媒体である。
【００１６】
また、本発明の情報処理端末装置読み取り可能な記録媒体は、無線通信方式により受信したデータを赤外線通信方式のデータに変換して転送する無線／赤外線変換アダプタを使用し、無線通信方式のリモートコントロール装置から制御用リモートコントロールデータを送信して赤外線通信機能付きの電化製品を制御するアプリケーションシステムにおける前記リモートコントロール装置内の情報処理端末装置に、前記電化製品を制御する操作手順を登録させるためのマクロ登録手順と、前記マクロの実行開始日時と実行終了日時を登録するためのマクロ実行日時登録手順と、前記マクロの実行開始日時と実行終了日時をリモートコントロール装置内の計時タイマーにより監視するためのマクロ実行日時監視手順と、前記マクロ実行日時監視手段により、前記マクロの実行開始日時の到来が確認された場合には該マクロの実行を開始し、前記マクロの実行終了日時の到来が確認された場合には該マクロの実行を終了するためのマクロ実行手順とを実行させるためのプログラムを記録した情報処理端末装置読み取り可能な記録媒体である。
【００１７】
【発明の実施の形態】
［第１の実施の形態］
図１は、本発明の無線／赤外線変換アダプタの第１の適用例を示す図であり、従来は赤外線（ＩＲ）通信方式のリモートコントロール装置で制御していたテレビやＶＴＲなどの電化製品（赤外線通信機能を有する家庭電化製品及びＡＶ機器など）２を、無線（ＲＦ）通信方式のリモートコントロール装置１と無線／赤外線変換アダプタ１０を用いて制御する例を示している。なお、無線（ＲＦ）通信方式のリモートコントロール装置１には、無線装置を使用する場合に免許を取得する必要のない範囲の出力の電波送信装置を使用する。また、無線／赤外線変換アダプタ１０内には、無線送受信部１１、変換部１２、赤外線送受信部１３が装備される。
・無線送受信部１１は、無線（ＲＦ）通信方式のリモートコントロール装置１と、アンテナ１１ａ及びアンテナ１ａを介して、無線電波によりデータの送受信を行う。例えば、２．４ＧＨｚ帯の搬送周波数でデータの送受信を行う。
・変換部１２は、無線（ＲＦ）通信方式にて受信したデータを赤外線（ＩＲ）通信方式に橋渡しを行う機能（ブリッジ機能）と、赤外線（ＩＲ）通信方式にて受信したデータを無線（ＲＦ）通信方式に橋渡しを行う機能（ブリッジ機能）を有している。
・赤外線送受信部１３は、赤外線通信機能を有する電化製品２と、赤外線（ＩＲ）送受信ポート１３ａ及び赤外線（ＩＲ）送受信ポート２ａを介して、データの送受信を行う。
【００１８】
このように、無線（ＲＦ）通信方式のリモートコントロール装置１を使用することにより、以下のようにして電化製品２を制御することができる。
（１）無線（ＲＦ）通信方式のリモートコントロール装置１を使用するので、リモートコントロール装置１を電化製品２に対向させることなく電化製品２を制御できる。
（２）無線（ＲＦ）通信方式のリモートコントロール装置１を使用するので、リモートコントロール装置１と電化製品２の間に遮蔽物があっても、電化製品２を制御できる。
（３）無線（ＲＦ）通信方式のリモートコントロール装置１を使用するので、リモートコントロール装置１と電化製品２を至近距離に近づけなくても、電化製品２を制御できる。
【００１９】
なお、図１に示す例では、本発明の無線／赤外線変換アダプタ１０を使用して、リモートコントロール装置１により電化製品２を制御する例を示したが、制御対象としては電化製品２に限らず、車載機器であるカーナビゲーションシステムやオーディオ機器など、赤外線（ＩＲ）通信機能を有する全ての機器を制御することができる。
【００２０】
また、図２は、本発明の無線／赤外線変換アダプタの第２の適用例を示す図であり、ＰＣ（Ｐｅｒｓｏｎａｌ　Ｃｏｍｐｕｔｅｒ）３やＰＤＡ（Ｐｅｒｓｏｎａｌ　Ｄｉｇｉｔａｌ　Ａｓｓｉｓｔａｎｃｅ）４などの無線通信機能を搭載した情報処理端末装置を無線（ＲＦ）通信方式のリモートコントロール装置として使用し、赤外線通信機能を有するテレビ（ＴＶ）５、ビデオ再生録画装置（ＶＴＲ）６、ＤＶＤ再生装置（ＤＶＤ）７、ＣＡＴＶアダプタ８、オーディオ・ビジュアルコンポーネント（ＡＶコンポ）９などをリモートコントロールする場合の例である。
ＰＣ（Ｐｅｒｓｏｎａｌ　Ｃｏｍｐｕｔｅｒ）３やＰＤＡ（Ｐｅｒｓｏｎａｌ　Ｄｉｇｉｔａｌ　Ａｓｓｉｓｔａｎｃｅ）４などの無線通信機能を搭載した情報処理端末装置と無線／赤外線変換アダプタ１０などとの通信には、「ブルートゥース（登録商標）（近距離通信：Ｂｌｕｅｔｏｏｔｈ）」などで規定された通信方式を使用する事ができる。なお、無線／赤外線変換アダプタ１０とテレビ（ＴＶ）５などとの通信には、財団法人　家電製品協会（家製協）で規定している家製協フォーマットを使用することができる。なお、家製協フォーマットの他に日本電気株式会社が作成した日本電気（ＮＥＣ）フォーマットなどを使用することができる。
【００２１】
また、図３は、本発明の無線／赤外線変換アダプタの第３の適用例を示す図であり、店舗１５内に設備されたＰＯＳ端末１６には、無線送受信部１７とアンテナ１７ａが設けられ、携帯電話やＰＤＡ（Ｐｅｒｓｏｎａｌ　Ｄｉｇｉｔａｌ　Ａｓｓｉｓｔａｎｃｅ）などの携帯端末１８には、赤外線送受信部１９が設けられる。また、ＰＯＳ端末１６と携帯端末１８との間の通信経路には、本発明の無線／赤外線変換アダプタ１０が設けられる。
このような構成により、ＰＯＳ端末１６と携帯端末１８との間でデータの交換が可能となる。なお、無線／赤外線変換アダプタ１０と携帯端末１８などとの通信には、ＩｒＤＡ（Ｉｎｆｒａｒｅｄ　Ｄａｔａ　Ａｓｓｏｃｉａｔｉｏｎ　）などで規定される赤外線（ＩＲ）通信方式を使用することができる。
【００２２】
また、図４は、無線／赤外線変換アダプタの構成例を示す図であり、無線（ＲＦ）通信方式で受信したデータを赤外線（ＩＲ）通信方式のデータに変換して転送する共に、赤外線（ＩＲ）通信方式通信方式で受信したデータを無線（ＲＦ）通信方式のデータに変換して転送するための双方方向性の無線／赤外線変換アダプタである。
【００２３】
図４に示す無線／赤外線変換アダプタ１０において、２０は無線（ＲＦ）通信方式の電波を送受信する無線アンテナ部、２１は無線（ＲＦ）通信方式によりデータの送受信を行うための機能を有する無線送受信インタフェース部、２２は無線／赤外線変換アダプタ１０の全体を統括制御する中央処理装置（ＣＰＵ）、２３は赤外線（ＩＲ）通信方式によりデータの送受信を行うための機能を有する赤外線送受信インタフェース部、２４は赤外線（ＩＲ）通信方式の赤外線を送受信する赤外線受発光部、３０は処理プログラムを記憶するＲＯＭを示している。
【００２４】
また、ＲＯＭ３０内には以下の処理プログラムが記録されている。
・無線通信制御ソフトウェア部３１は、無線（ＲＦ）通信方式により受信したデータを生成する処理と、逆に送信すべきデータを無線（ＲＦ）通信方式で加工するなどの処理を行うための処理部である。
・赤外線通信制御ソフトウェア部３２は、赤外線（ＩＲ）通信方式により受信したデータを生成する処理と、逆に送信すべきデータを赤外線（ＩＲ）通信方式で加工するなどの処理を行うための処理部である。
・データ転送処理部３３は、無線通信制御ソフトウェア部３１と赤外線通信制御ソフトウェア部３２との間で送受信されるデータの橋渡しを行う機能（ブリッジ機能）を有する処理部である。
【００２５】
また、図５は、図４に例示する無線／赤外線変換アダプタ１０の動作の流れについて説明するための図であり、無線（ＲＦ）通信方式で受信したデータを赤外線（ＩＲ）通信方式のデータに変換して転送する場合の動作を示したものである。以下図５を基に、無線／赤外線変換アダプタ１０の動作について説明する。
（１）無線（ＲＦ）通信方式によりデータを、無線送受信インタフェース部２１で受信する（ステップＳ１）。
（２）無線送受信インタフェース部２１から、無線通信制御ソフトウェア部３１にデータが転送される（ステップＳ２、Ｓ３）。
（３）無線の通信方式で生成されたデータを無線通信制御ソフトウェア部３１により処理し（ステップＳ４）、データ転送処理部３３に処理したデータを送信する（ステップＳ５）。
（４）データ転送処理部３３は、無線通信制御ソフトウェア部３１で生成されたデータを、赤外線通信制御ソフトウェア部３２に受け渡すための、いわゆるブリッジの機能（役割）を実現するための処理を行う（ステップＳ６）。
（５）データ転送処理部３３により、赤外線通信制御ソフトウェア部３２にデータを転送する（ステップＳ６、Ｓ７）。
（６）赤外線通信制御ソフトウェア部３２により、データを赤外線の通信方式で加工する（ステップＳ８）。
（７）赤外線通信制御ソフトウェア部３２より赤外線送受信インタフェース部２３にデータが転送される（ステップＳ９、Ｓ１０）。
（８）赤外線の通信方式で加工されたデータを赤外線送受信インタフェース部２３から赤外線（ＩＲ）通信方式で送信する（ステップＳ１１）。
【００２６】
以上説明した動作例は、無線（ＲＦ）通信方式にて受信したデータを赤外線（ＩＲ）通信方式に変換して転送する場合の動作例であるが、逆の場合、すなわち、赤外線（ＩＲ）通信方式で受信したデータを無線（ＲＦ）通信方式のデータに変換して転送する場合についても基本的な手順は同じであり、その説明は省略する。
【００２７】
［第２の実施の形態］
次に、本発明の無線／赤外線変換アダプタ１０を使用したアプリケーションシステムの第１の例について説明する。
本例では、リモートコントロール装置としてＰＣ（Ｐｅｒｓｏｎａｌ　Ｃｏｍｐｕｔｅｒ）やＰＤＡ（Ｐｅｒｓｏｎａｌ　Ｄｉｇｉｔａｌ　Ａｓｓｉｓｔａｎｃｅ）などの無線通信機能を搭載した情報処理端末装置を使用する。また、制御用リモートコントロールデータ（図７参照）と制御対象の電化製品とを関連付けしデータファイル化して登録する。この関連付けした制御用リモートコントロールデータを送信することにより、制御用リモートコントロールデータに関連付けられた電化製品を制御する例である。
【００２８】
制御用リモートコントロールデータと電化製品の関連付けは、以下のようにして行う。
（１）制御対象となる電化製品のカテゴリ（ＴＶやＶＴＲ等）ごとにリモートコントロール用のウィンドウ（ウィンドウ画面）を切り替えるようにする。
例えば、初期画面でＴＶやＶＴＲなどのアイコンを表示し、希望のアイコンをクリックもしくはタップすることで、利用したい電化製品のカテゴリ（ＴＶやＶＴＲ等）のリモートコントロール用ＧＵＩ（ユーザインタフェース）画面を表示させる。
【００２９】
（２）また、初期利用時もしくは利用したい電化製品を変更する際に、利用したい電化製品と制御用リモートコントロールデータを関連付けるために以下の操作を行う。
（ａ）初期設定ボタンをクリックもしくはタップする。
（ｂ）初期設定ウィンドウが表示される。
（ｃ）制御用リモートコントロールデータの選択ボタンをクリックもしくはタップする。
（ｄ）メーカ名と制御用リモートコントロールデータの表示名が一覧表にて表示される（図６参照）。
（ｅ）利用者が利用したいメーカ名と電化製品に対応した制御用リモートコントロールデータの表示名を選択する（関連付け）。
（ｆ）保存ボタンを押すと、アプリケーションソフト側では、電化製品に対応した制御用リモートコントロールデータの識別用ＩＤを記憶する。
なお、この制御用リモートコントロールデータの識別用ＩＤは、電化製品のメーカとカテゴリ毎に作成されたデータファイル名であっても良い。
（ｇ）初期設定ウィンドウ画面が閉じる。
【００３０】
なお、図６に制御用リモートコントロールデータと電化製品の関連付けウィンドウ（画面）の例を示す。図６に示す例では、電化製品のカテゴリ種別（ＴＶ）に対して、Ｂ社のテレビ（ＴＶ）に対応した制御用リモートコントロールデータを関連付けする場合の例である。
【００３１】
また、図７に制御用リモートコントロールデータのレコード内容の例を示す。制御用リモートコントロールデータのデータファイルは、ヘッダ部とボディ部で構成される。ヘッダ部は、「データ識別用ＩＤ」、「表示名」、「メーカ名」、「カテゴリ種別」の各データで構成される。ボディ部は、「ボタンＩＤ」、「機能名」、「表示名」、「データ」の各データで構成される。
・データ識別用ＩＤは、アプリケーション側の初期設定時、このデータ識別用ＩＤにて関連付けする。メーカ名とカテゴリ種別の組み合わせでユニークなコード体系とする。
・表示名は、アプリケーション一覧表で電化製品を選択するために使用する。
・メーカ名は、電化製品のメーカ名称を表す。
・カテゴリ種別は、電化製品のカテゴリを表す。（ＴＶ，ＶＴＲ，ＤＶＤ等）
・ボタンＩＤは、アプリケーション側で操作するボタンに割り付けられたＩＤからボディ部のボタンＩＤを特定し、対応するデータを処理する。ボディ部内でデータ毎にユニークなコード体系とする。
・機能名：リモートコントロール装置で制御できる電化製品の機能を表す名称（電源、音量等）
・表示名：アプリケーション側で表示する機能名称。
・データは、電化製品を制御するための制御用リモートコントロールデータの実体。
なお、データは、データの終端用に特定の規則を設け、データ長の異なるコマンドでも対応する。例えば、終端に「ＮＵＬＬ」符号を入れる。
なお、本例では、制御用リモートコントロールデータのデータファイルはアプリケーションとは独立したデータファイルとしている。
【００３２】
また、図８は、リモートコントロール装置の第１のシステム構成例を示す図であり、リモートコントロール装置としてＰＣ（Ｐｅｒｓｏｎａｌ　Ｃｏｍｐｕｔｅｒ）などの無線通信機能を搭載した情報処理端末装置を使用する場合の例であり、本発明に直接関係する部分のみを示したものである。
【００３３】
図８において、４０はリモートコントロール装置として使用されるＰＣ（Ｐｅｒｓｏｎａｌ　Ｃｏｍｐｕｔｅｒ）などの無線通信機能を搭載した情報処理端末装置、４１は情報処理端末装置内のＣＰＵ、４２は無線（ＲＦ）通信方式でデータを送受信するための無線送受信インタフェース部、５０は処理プログラム部を示している。
【００３４】
また、処理プログラム部５０には以下の処理部が含まれる。
・初期設定画面表示処理部５１は、制御用リモートコントロールデータと電化製品とを関連付けるための初期設定画面を表示するための処理部である。
・電化製品関連付け処理部５２は、初期設定画面上で、電化製品を制御するための制御用リモートコントロールデータと制御する電化製品との関連付けを行うための処理部である。
・制御用リモートコントロールデータ登録処理部５３は、制御用リモートコントロールデータと該制御用リモートコントロールデータにより制御される電化製品とを関連付けして登録するための処理部である。
・制御用リモートコントロールデータ送信処理部５４は、制御用リモートコントロールデータを送信する際に、送信される制御用リモートコントロールデータに応じて、制御用リモートコントロールデータに関連付けされた電化製品に対する制御信号を生成して送信するための処理部である。
【００３５】
［第３の実施の形態］
次に、本発明の無線／赤外線変換アダプタ１０を使用したアプリケーションシステムの第２の例について説明する。
本例では、リモートコントロール装置としてＰＣ（Ｐｅｒｓｏｎａｌ　Ｃｏｍｐｕｔｅｒ）やＰＤＡ（Ｐｅｒｓｏｎａｌ　Ｄｉｇｉｔａｌ　Ａｓｓｉｓｔａｎｃｅ）などの無線通信機能を搭載した情報処理端末装置を使用し、リモートコントロール装置側で連続した操作をマクロ化し、複数の電化製品をまとめて制御するようにしたものである。
【００３６】
最初に、マクロの作成手順について説明する。
（１）マクロの作成ボタンをクリックもしくはタップする。
（２）マクロの作成ウィンドウ（画面）が表示される。図９にマクロ作成ウィンドウの例を示す。
（３）マクロの作成ウィンドウ画面には以下の入力ボックス及びボタンが表示され、必要な情報を入力する。
・マクロ名の入力ボックス
このマクロ名入力ボックスに登録しようとするマクロ名を入力する。なお、登録名を付与することにより複数のマクロを作成でき、後で実行する際に分かりやすい名前を付ける事ができる。
・制御する電化製品のカテゴリ（ＴＶやＶＴＲ等）を入力するボックス
・実行する制御機能を入力するボックス
この入力ボックスは複数の機能を登録できるように表組みで表示される。
・待ち時間の入力ボックス
この入力ボックスに待ち時間を指定する事により、制御用リモートコントロールデータの信号の送信間隔を調整し応答の鈍い機器にも対応できるようにする。
・読込、新規、保存、取消ボタン
（４）マクロの新規作成であれば、新規ボタンをクリックもしくはタップし、マクロの内容を入力後、保存ボタンをクリックもしくはタップする。
（５）マクロの修正／変更であれば、読込ボタンをクリックもしくはタップする。
・既に登録されているマクロ名の一覧表が表示される。
・読み込みたいマクロ名へカーソルを移動するか、もしくは、マクロ名自身をクリックもしくはタップする。
・既に登録されたマクロ内容が表示される。
・修正／変更後、保存ボタンをクリックもしくはタップする。
（６）入力されたマクロのデータをリモートコントロール装置内に保存する。
（７）マクロの作成ウィンドウ画面が閉じる。
【００３７】
次に、マクロの実行手順について説明する。
（１）マクロの選択ボタンをクリックもしくはタップする。
（２）マクロの実行ウィンドウが表示される。
（３）リモートコントロール装置内に保存されているマクロ名を一覧表（又はアイコン）で表示する。
（４）実行したいマクロ名（またはアイコン）をクリックもしくはタップする。
（５）実行ボタンをクリックもしくはタップする。
（６）登録されたマクロが読み込まれ、マクロ内に登録された機能を順次、実行処理する。
【００３８】
また、図１０は、リモートコントロール装置の第２のシステム構成例を示す図であり、リモートコントロール装置としてＰＣ（Ｐｅｒｓｏｎａｌ　Ｃｏｍｐｕｔｅｒ）などの無線通信機能を搭載した情報処理端末装置を使用する場合の例であり、本発明に直接関係する部分のみを示したものである。
【００３９】
図１０において、６０はリモートコントロール装置として使用されるＰＣ（Ｐｅｒｓｏｎａｌ　Ｃｏｍｐｕｔｅｒ）などの無線通信機能を搭載した情報処理端末装置、６１は情報処理端末装置内のＣＰＵ、６２は無線（ＲＦ）通信方式でデータを送受信するための無線送受信インタフェース部、７０は処理プログラム部を示している。
【００４０】
また、処理プログラム部７０には以下の処理部が含まれる。
・マクロ作成画面表示処理部７１は、マクロを作成するための画面を表示する処理部である。
・マクロ登録処理部７２は、電化製品を制御するためのマクロを登録するための処理部である。
・電化製品関連付け処理部７３は、マクロに関連付けて、制御する電化製品の種別、制御する機能の内容を登録するための処理部である。
・マクロ実行処理部７４は、マクロを実行する際に、実行されるマクロに応じて、関連付けされた電化製品に対する制御信号を生成して送信するための処理部である。
【００４１】
［第４の実施の形態］
次に、本発明の無線／赤外線変換アダプタ１０を利用したアプリケーションシステムの第３の例について説明する。
本例では、リモートコントロール装置に装備されたタイマー機能を用いて、指定した時間にマクロを自動的に実行するようにしたものである。
【００４２】
最初に、マクロのタイマー予約手順について説明する。
（１）マクロのタイマー予約ボタンをクリックもしくはタップする。
（２）マクロのタイマー予約ウィンドウ（画面）が表示される。図１１にタイマー予約ウィンドウの例を示す。
（３）マクロのタイマー予約ウィンドウには以下の入力ボックス及びボタンが表示され、必要な情報を入力する。
・マクロ名の入力ボックス
・実行する日付、曜日、開始時間、終了時刻の入力ボックス
・保存、読込、取消ボタン
なお、入力ボックスは、複数の予約を登録できるように表組みで表示することもできる。なお、実行する曜日は、月曜日から金曜日などの連続した指定や月曜日、水曜日、金曜日などのような不定期な指定もできる。
（４）タイマー予約の修正／変更であれば、読込ボタンをクリックもしくはタップする。
・既に登録されている予約記録の一覧表が表示される。
・修正／変更後、保存ボタンをクリックもしくはタップする。
【００４３】
（５）新規登録または修正後に、保存ボタンをクリックもしくはタップする。
（６）マクロのタイマー予約ウィンドウが閉じる。
【００４４】
次に、マクロのタイマー実行手順について説明する。
（１）登録されている予約日付、曜日、開始時刻をリモートコントロール装置内のＲＡＭに一時記憶する。
（２）一時記憶した予約日時（もしくは曜日と時間）と、リモートコントロール装置内蔵のタイマーとを比較する。
（３）予約日時（もしくは曜日と時間）とリモートコントロール装置内蔵のタイマーとが一致した場合は、登録されたマクロが読み込まれマクロ内に登録された機能を、順次に実行処理する。なお、マクロの実行を終了する場合も同様な手順で行われる。
【００４５】
また、図１２は、リモートコントロール装置の第３のシステム構成例を示す図であり、リモートコントロール装置としてＰＣ（Ｐｅｒｓｏｎａｌ　Ｃｏｍｐｕｔｅｒ）などの無線通信機能を搭載した情報処理端末装置を使用する場合の例であり、本発明に直接関係する部分のみを示したものである。
【００４６】
図１２において、８０はリモートコントロール装置として使用されるＰＣ（Ｐｅｒｓｏｎａｌ　Ｃｏｍｐｕｔｅｒ）などの無線通信機能を搭載した情報処理端末装置、８１は情報処理端末装置内のＣＰＵ、８２は無線（ＲＦ）通信方式でデータを送受信するための無線送受信インタフェース部、９０は処理プログラム部を示してい
【００４７】
また、処理プログラム部９０には以下の処理部が含まれる。
・タイマー予約画面表示処理部９１は、タイマー予約を行う画面を表示するための処理部である。
・マクロ登録処理部９２は、電化製品を制御するためのマクロを登録するための処理部である。
・マクロ実行日時登録処理部９３は、マクロの実行開始日時及び実行終了日時を登録するための処理部である。
・マクロ実行日時監視処理部９４は、マクロの実行開始日時及びマクロの実行終了日時の監視を行うための処理部である。
・マクロ実行処理部９５は、マクロ実行時監視処理部９４により、マクロの実行開始日時の到来が確認された場合には、マクロの実行開始処理を行い、マクロの実行終了日時が到来した場合には、マクロの実行終了処理を行うための処理部である。
【００４８】
以上、本発明の実施の形態について説明したが、図８に示す処理プログラム部５０、図１０に示す処理プログラム部７０、及び図１２に示す処理プログラム部９０の機能を実現するためのプログラムを情報処理端末装置読み取り可能な記録媒体に記録して、この記録媒体に記録されたプログラムを無線通信機能を搭載した情報処理端末装置に読み込ませ、実行することにより、図８に示す処理プログラム部５０、図１０に示す処理プログラム部７０、及び図１２に示す処理プログラム部９０に必要な処理を行ってもよい。なお、ここでいう「無線通信機能を搭載した情報処理端末装置」とは、ＯＳや周辺機器等のハードウェアを含むものとする。
【００４９】
また、「無線通信機能を搭載した情報処理端末装置」は、ＷＷＷシステムを利用している場合であれば、ホームページ提供環境（あるいは表示環境）を含むものとする。
また、「情報処理端末装置読み取り可能な記録媒体」とは、フレキシブルディスク、光磁気ディスク、ＲＯＭ、ＣＤ−ＲＯＭ等の可般媒体、無線通信機能を搭載した情報処理端末装置に内蔵されるハードディスク等の記憶装置のことをいう。
【００５０】
さらに「情報処理端末装置読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなる情報処理端末装置内部の揮発性メモリのように、一定時間プログラムを保持しているものも含むものとする。
また上記プログラムは、前述した機能の一部を実現するためのものであっても良く、さらに前述した機能を情報処理端末装置にすでに記録されているプログラムとの組み合わせで実現できるもの、いわゆる差分ファイル（差分プログラム）であっても良い。
【００５１】
以上、本発明の実施の形態について説明したが、本発明の無線／赤外線変換アダプタ、及び無線／赤外線変換アダプタを使用したアプリケーションシステムは、上述の図示例にのみ限定されるものではなく、本発明の要旨を逸脱しない範囲内において種々変更を加え得ることは勿論である。
【００５２】
【発明の効果】
以上説明したように、本発明の無線／赤外線変換アダプタにおいては、無線（ＲＦ）通信方式のデータを赤外線（ＩＲ）通信方式のデータに変換して転送できるようにしたので、これにより、　無線（ＲＦ）通信方式のリモートコントロール装置を使用することができ、リモートコントロール装置を電化製品に対向させることなく制御できる。また、リモートコントロール装置と電化製品の間に遮蔽物があっても、電化製品を制御できる。また、リモートコントロール装置と電化製品を至近距離に近づけなくても電化製品を制御できる。
【００５３】
また、本発明の無線／赤外線変換アダプタにおいては、無線（ＲＦ）通信方式のデータを赤外線（ＩＲ）通信方式のデータに変換して転送できるようにし、また赤外線（ＩＲ）通信方式のデータを無線（ＲＦ）通信方式のデータに変換して転送できるようにしたので、これにより、ＰＣやＰＤＡなどの無線通信機能を搭載した情報処理端末装置をリモートコントロール装置として使用して電化製品を制御する場合のみならず、ＰＣやＰＤＡなどの無線通信機能を搭載した情報処理端末装置と赤外線通信機能付きの機器との間でデータを交換する際にも、ＰＣやＰＤＡなどの無線通信機能を搭載した情報処理端末装置と赤外線通信機能付きの機器とを対向させることなくデータ交換が行える。また、ＰＣやＰＤＡなどの無線通信機能を搭載した情報処理端末装置と赤外線通信機能付きの機器との間に遮蔽物があってもデータ交換が行える。
【００５４】
また、本発明の無線／赤外線変換アダプタを使用したアプリケーションシステム及びアプリケーション方法においては、赤外線通信機能付きの電化製品を無線（ＲＦ）通信方式のリモートコントロール装置で制御する場合に、リモートコントロール装置に、予め制御用リモートコントロールデータと制御される電化製品とを関連付けして登録しておく。そして、リモートコントロール装置で制御用リモートコントロールデータを送信すると、予め関連付けされた電化製品に対して制御信号が生成され送信される。
これにより、無線（ＲＦ）通信方式のリモートコントロール装置を使用して、赤外線通信機能付きの電化製品の操作が容易に行える。
【００５５】
また、本発明の無線／赤外線変換アダプタを使用したアプリケーションシステム及びアプリケーション方法においては、赤外線通信機能付きの電化製品を無線（ＲＦ）通信方式のリモートコントロール装置で制御する場合に、リモートコントロール装置に、予め電化製品を制御するためのマクロと制御される電化製品とを関連付けして登録しておく。そして、リモートコントロール装置でマクロを実行すると、予め関連付けされた電化製品に対して制御信号を生成され送信される。
これにより、無線（ＲＦ）通信方式のリモートコントロール装置を使用して、赤外線通信機能付きの電化製品の操作が容易に行える。
【００５６】
また、本発明の無線／赤外線変換アダプタを使用したアプリケーションシステム及びアプリケーション方法においては、電化製品を制御するためのマクロについて、該マクロの実行開始日時と実行終了日時を予め登録できるようにし、マクロの実行開始日時の到来が確認された場合には、該マクロの実行を開始し、マクロの実行終了日時の到来が確認された場合に、該マクロの実行を終了する。
これにより、無線（ＲＦ）通信方式のリモートコントロール装置を使用して、電化製品のタイマー予約が容易に行えるようになる。
【図面の簡単な説明】
【図１】本発明の無線／赤外線変換アダプタの第１の適用例を示す図である。
【図２】本発明の無線／赤外線変換アダプタの第２の適用例を示す図である。
【図３】本発明の無線／赤外線変換アダプタの第３の適用例を示す図である。
【図４】無線／赤外線変換アダプタの構成例を示す図である。
【図５】無線／赤外線変換アダプタの動作の流れについて説明するための図である。
【図６】制御用リモートコントロールデータと電化製品の関連付けウィンドウの例を示す図である。
【図７】制御用リモートコントロールデータのレコード内容の例を示す図である。
【図８】リモートコントロール装置の第１のシステム構成例を示す図である。
【図９】マクロ作成ウィンドウの例を示す図である。
【図１０】リモートコントロール装置の第２のシステム構成例を示す図である。
【図１１】タイマー予約ウィンドウの例を示す図である。
【図１２】リモートコントロール装置の第３のシステム構成例を示す図である。
【符号の説明】
１　無線（ＲＦ）通信方式のリモートコントロール装置
１ａ、１１ａ　アンテナ
２　赤外線通信機能を有する電化製品
２ａ　赤外線送受信部
３　無線通信機能を搭載した情報処理端末装置（ＰＣ）
４　無線通信機能を搭載した情報処理端末装置（ＰＤＡ）
１０　無線／赤外線変換アダプタ
１１　無線送受信部
１２　変換部
１３　赤外線送受信部
１３ａ　赤外線送受信ポート
２０　無線アンテナ部
２１　無線送受信インタフェース部
２２　ＣＰＵ
２３　赤外線送受信インタフェース部
２４　赤外線受発光部
３０　ＲＯＭ
３１　無線通信制御ソフトウェア部
３２　赤外線通信制御ソフトウェア部
３３　データ転送処理部
４０、６０、８０　無線通信機能を搭載した情報処理端末装置
４１、６１、８１　ＣＰＵ
４２、６２、８２　無線送受信インタフェース部
５０、７０、９０　処理プログラム部
５１　初期設定画面表示処理部
５２　電化製品関連付け処理部
５３　制御用リモートコントロールデータ登録処理部
５４　制御用リモートコントロールデータ送信処理部
７１　マクロ作成画面表示処理部
７２　マクロ登録処理部
７３　電化製品関連付け処理部
７４　マクロ実行処理部
９１　タイマー予約画面表示処理部
９２　マクロ登録処理部
９３　マクロ実行日時登録処理部
９４　マクロ実行日時監視処理部
９５　マクロ実行処理部
【図１】
2004031999.tif 000003
【図２】
2004031999.tif 000004
【図３】
2004031999.tif 000005
【図４】
2004031999.tif 000006
【図５】
2004031999.tif 000007
【図６】
2004031999.tif 000008
【図７】
2004031999.tif 000009
【図８】
2004031999.tif 000010
【図９】
2004031999.tif 000011
【図１０】
2004031999.tif 000012
【図１１】
2004031999.tif 000013
【図１２】
2004031999.tif 000014